(57)【要約】【課題】停止部材で一旦停止した部品を、停止部材解除後に確実に滑り搬送させるローラテーブルの物品停止装置を提供する。【解決手段】本発明のローラテーブルの物品停止装置では、左右に配置された一対のローラが長手方向に緩傾斜するテーブル上に複数配置され、物品の底部に複数のローラが接触し、物品を滑り搬送させるローラテーブルに昇降可能に設けられ、テーブル上を搬送されてくる最先端物品を、下降することにより最先端物品と接触し所定位置で停止させ、上昇することにより最先端物品との接触を解除し、最先端物品を滑り搬送させる円柱状の停止部材を備えるローラテーブルの物品停止装置であって、停止部材は、最先端物品と接触し停止させる第１部位と、第１部位の鉛直方向下方位置に第１部位の外径より大きな外径の第２部位を有する。【選択図】  図３
2020147402.tif 000002
【特許請求の範囲】
【請求項１】
左右に配置された一対のローラが長手方向に緩傾斜するテーブル上に複数配置され、物品の底部に前記複数のローラが接触し、前記物品を滑り搬送させるローラテーブルに昇降可能に設けられ、前記テーブル上を搬送されてくる最先端物品を、下降することにより前記最先端物品と接触し所定位置で停止させ、上昇することにより前記最先端物品との接触を解除し、前記最先端物品を滑り搬送させる円柱状の停止部材を備えるローラテーブルの物品停止装置であって、
前記停止部材は、前記最先端物品と接触し停止させる第１部位と、前記第１部位の鉛直方向下方位置に前記第１部位の外径より大きな外径の第２部位を有する、
ことを特徴とするローラテーブルの物品停止装置。
【請求項２】
請求項１に記載のローラテーブルの物品停止装置において、
前記停止部材は、前記ローラテーブルの左右の一方側に設けられている、
ことを特徴とするローラテーブルの物品停止装置。
【請求項３】
請求項１に記載のローラテーブルの物品停止装置において、
前記物品は、断面円錐状の円盤部品である、
ことを特徴とするローラテーブルの物品停止装置。
【請求項４】
請求項３に記載のローラテーブルの物品停止装置において、
前記円盤部品は、無段変速機用プーリを構成する可動側もしくは固定側のフランジ部材である、
ことを特徴とするローラテーブルの物品停止装置。
【発明の詳細な説明】
【技術分野】
【０００１】
本発明は、ローラテーブルの物品停止装置に関する。
【背景技術】
【０００２】
特許文献１には、緩傾斜に配置し、物品を自重により滑り搬送させ、停止部材で物品を停止させ、次工程へ１個の物品を搬送するローラテーブルが開示されている。
【先行技術文献】
【特許文献】
【０００３】
【特許文献１】特開２０００−２４７４１２号公報
【発明の概要】
【発明が解決しようとする課題】
【０００４】
しかしながら、特許文献１のローラテーブルでは、停止部材で物品を一旦停止させるため、停止部材を解除しても、静摩擦状態で滑り搬送しないおそれがある。
【０００５】
本発明は、このような技術的課題に鑑みてなされたもので、停止部材で一旦停止した物品を、停止部材解除後に確実に滑り搬送させるローラテーブルの物品停止装置を提供することを目的とする。
【課題を解決するための手段】
【０００６】
本発明のローラテーブルの物品停止装置では、左右に配置された一対のローラが長手方向に緩傾斜するテーブル上に複数配置され、物品の底部に複数のローラが接触し、物品を滑り搬送させるローラテーブルに昇降可能に設けられ、テーブル上を搬送されてくる最先端物品を、下降することにより最先端物品と接触し所定位置で停止させ、上昇することにより最先端物品との接触を解除し、最先端物品を滑り搬送させる円柱状の停止部材を備えるローラテーブルの物品停止装置であって、停止部材は、最先端物品と接触し停止させる第１部位と、第１部位の鉛直方向下方位置に第１部位の外径より大きな外径の第２部位を有するようにしたことを特徴とする。
【発明の効果】
【０００７】
よって、本発明のローラテーブルの物品停止装置では、停止部材の上昇時に、物品が第２部位によりローラテーブルの上流側に移動することで、静摩擦状態から動摩擦状態へ遷移させることができるので、物品を確実に滑り搬送させることできる。
【図面の簡単な説明】
【０００８】
【図１】実施形態１のローラテーブルの物品停止装置の側面から見た全体図である。
【図２】実施形態１のローラテーブルの物品停止装置の正面から見た斜視図である。
【図３】実施形態１の最先端円盤部品と下降した第１停止部材の位置関係を示す正面から見た模式図である。
【図４】実施形態１の第１停止部材の下降時と上昇時の最先端円盤部品の上面から見た位置関係を示す模式図である。
【発明を実施するための形態】
【０００９】
［実施形態１］
図１は、実施形態１のローラテーブルの物品停止装置の側面から見た全体図であり、図２は、実施形態１のローラテーブルの物品停止装置の正面から見た斜視図である。
【００１０】
[全体構成]
図１に示すように、ローラテーブル１のテーブル３は、矢印Ｕ（上流側）方向から矢印Ｄ（下流側）方向に向けて、長手方向に緩傾斜を有している。
図２に示すように、テーブル３の左右には、一対のローラ２ａ、２ｂが長手方向に複数配置されている。複数配置された一対のローラ２ａ、２ｂ上には、複数の無段変速機用プーリを構成する可動側もしくは固定側のフランジ部材である断面円錐状の円盤部品（物品）Ｗが直列状態で収容されている。
また、図２に示すように、テーブル３の一方側（図示右側）には、昇降可能な第１停止部材６を備える第１物品停止装置４が配置され、複数の円盤部品Ｗの最先端円盤部品（最先端物品）Ｗ１の最外周面Ｗ１ａが、第１物品停止装置４の下降した位置の第１停止部材６に接触して、所定の位置に停止している。
この後、第１停止部材６を上昇させ、最先端円盤部品Ｗ１の最外周面Ｗ１ａとの接触を解除して、最先端円盤部品Ｗ１を次工程８へ搬送する。
さらに、図２に示すように、、テーブル３の他方側（図示左側）には、昇降可能な第２停止部材７を備える第２物品停止装置５が配置され、最先端円盤部品Ｗ１の１つ手前の円盤部品Ｗ２の最外周面Ｗ２ａも、図２に示すように昇降可能に配置され、下降した位置の第２停止部材７に接触して、所定の位置に停止している。
最先端円盤部品Ｗ１が次工程８へ搬送された後に、第２停止部材７を上昇させ、円盤部品Ｗ２との接触を解除して、円盤部品Ｗ２を最先端位置へ搬送する。
【００１１】
図３は、実施形態１の最先端円盤部品Ｗ１と第１停止部材６の位置関係を示す模式図であり、図４は、実施形態１の第１停止部材６の下降時と上昇時の最先端円盤部品Ｗ１の上面から見た位置関係を示す模式図である。
なお、図４の実線は、第１停止部材６が下降して、第１部位６ａと最先端円盤部品Ｗ１の最外周面Ｗ１ａが接触している状態を示し、破線は、第１停止部材６が上昇して、最先端円盤部品Ｗ１の最外周面Ｗ１ａが第１停止部材６の第２部位６ｂと接触した状態を示している。
【００１２】
図３に示すように、下降した第１停止部材６の外径ａを有する第１部位６ａと最先端円盤部品Ｗ１の最外周面Ｗ１ａが接触し、最先端円盤部品Ｗ１が所定の位置で停止している。
この後、最先端円盤部品Ｗ１を次工程８へ搬送するために、第１停止部材６と最先端円盤部品Ｗ１の最外周面Ｗ１ａとの接触を解除するため、第１停止部材６を上昇させると、図４に示すように、最先端円盤部品Ｗ１の最外周面Ｗ１ａが第１停止部材６の第１部位６ａの外径ａより大きい外径ｂを有する第２部位６ｂと接触し、最先端円盤部品Ｗ１は、外径の差（ｂ−ａ）分の距離α、矢印Ｕ（上流側）方向へ移動することになる。
これにより、最先端円盤部品Ｗ１が静摩擦状態から動摩擦状態へ遷移することになり、第１停止部材６との接触が解除されると、スムーズに滑り搬送し、次工程８へ搬送することができる。
なお、第２物品停止装置５の第２停止部材７も、同様の形状に形成している。
【００１３】
次に、作用効果を説明する。
実施形態１のローラテーブルの物品停止装置にあっては、以下に列挙する作用効果を奏する。
【００１４】
（１）下降することによりローラテーブル１のテーブル３上を搬送されてくる最先端円盤部品Ｗ１の最外周面Ｗ１ａと接触し所定位置で停止させ、上昇することにより最先端円盤部品Ｗ１の最外周面Ｗ１ａとの接触を解除し、最先端円盤部品Ｗ１を滑り搬送させる第１物品停止装置４の円柱状の第１停止部材６は、最先端円盤部品Ｗ１の最外周面Ｗ１ａと接触し停止させる第１部位６ａと、第１部位６ａより鉛直方向下方位置に第１部位６ａの外径ａより大きい外径ｂを有する第２部位６ｂを有するようにした。
よって、第１停止部材６を上昇させると、最先端円盤部品Ｗ１の最外周面Ｗ１ａが第１停止部材６の第１部位６ａの外径ａより大きい外径ｂを有する第２部位６ｂと接触し、最先端円盤部品Ｗ１は、外径の差（ｂ−ａ）分の距離α、矢印Ｕ（上流側）方向へ移動するので、最先端円盤部品Ｗ１が静摩擦状態から動摩擦状態へ遷移することになり、第１停止部材６との接触が解除されると、スムーズに滑り搬送し、次工程８へ搬送することができる。
【００１５】
［他の実施形態］
以上、本発明を実施するための形態を実施形態に基づいて説明したが、本発明の具体的な構成は実施形態に示した構成に限定されるものではなく、発明の要旨を逸脱しない範囲の設計変更等があっても本発明に含まれる。
【符号の説明】
【００１６】
１    ローラテーブル
２ａ  左ローラ（ローラ）
２ｂ  右ローラ（ローラ）
３    テーブル
４    第１物品停止装置（物品停止装置）
６    第１停止部材（停止部材）
６ａ  第１部位
６ｂ  第２部位
ａ    第１部位の外径
ｂ    第２部位の外径
Ｗ    円盤部品（物品）
Ｗ１  最先端円盤部品（最先端物品）
【図１】
2020147402.tif 000003
【図２】
2020147402.tif 000004
【図３】
2020147402.tif 000005
【図４】
2020147402.tif 000006